(57)【要約】【課題】  遊技機用制御装置は、半導体素子の不正改造や認定外部品の不正使用が行われないよう厳しいチェックを必要とする。これに対し画像制御素子に放熱部材を取り付けると、画像制御素子のパッケージが放熱部材で覆い隠されることになるため、該素子の真偽等に関するチェックが行い難くなる問題があった。【解決手段】  遊技用画像表示装置１の画像制御に使用する画像制御素子８と、該素子８を搭載した回路基板５と、素子８のパッケージ８ａ上面に接して放熱する放熱部材１１と、底部材２と蓋部材３で構成されその内部に回路基板５を収めるケース４とを備え、放熱部材１１を蓋部材３に取り付けると共に該蓋部材３で回路基板５を覆った使用時の状態で素子８のパッケージ８ａ上面と放熱部材１１が接触し、蓋部材３と回路基板５を分離させる動作で素子８のパッケージ８ａ上面から放熱部材１１が離れるようにした遊技機用制御装置１を提供する。【選択図】        図１
2006263008.tif 000002
【特許請求の範囲】
【請求項１】
遊技用画像表示装置の画像制御に使用する画像制御素子と、
該画像制御素子を搭載した回路基板と、
前記画像制御素子のパッケージの上面に接して放熱する放熱部材と、
底部材と蓋部材で構成されその内部に前記回路基板を収めるケースと、を備え、
前記放熱部材をケースの蓋部材に取り付けると共に該蓋部材で回路基板を覆った使用時の状態で画像制御素子のパッケージ上面と放熱部材が接触し、蓋部材と回路基板を分離させる動作で画像制御素子のパッケージ上面から放熱部材が離れるようにした遊技機用制御装置。
【発明の詳細な説明】
【技術分野】
【０００１】
本発明は、遊技用画像表示装置を備えたスロットマシン（回胴式遊技機と同義）やパチンコ機等の遊技機に使用する遊技機用制御装置に関する。
【背景技術】
【０００２】
遊技機にはＬＳＩ等の電子部品をケース内に組み込んだ制御装置が使われている。この制御装置は、電子部品が発する熱によりケース内が高温になるため、ケースに放熱孔を設けたり、ケースの内部に放熱部材を設置して外部への放熱を行うようにしている（特許文献１参照）。
【特許文献１】特開平１０−１７９８８４号公報
【発明の開示】
【発明が解決しようとする課題】
【０００３】
液晶等の遊技用画像表示装置を備えた遊技機では、表示内容が年々高度化・複雑化し大量のデータを高速に処理する必要が生じており、そのため遊技用画像表示装置の画像を制御する画像制御素子に加わる負担が増大している。その結果、画像制御素子の発熱量が他の電子部品に比べて突出して高くなっており、画像制御素子専用の放熱部材（ヒートシンク）を必要とする状況にある。
【０００４】
ところで半導体素子に放熱部材を取り付ける場合は、半導体素子のパッケージの上面全体を覆う程度の大きさにした放熱部材をパッケージの上面（パッケージの上面がフラットである場合はパッケージ上面、また、パッケージの上面にマウント部が突出している場合にはそのマウント部上面）に直接取り付けるか又はシリコングリスやシリコンゴムような熱伝導部材を介して間接的に取り付けるのが一般的である。半導体素子の一種である画像制御素子に放熱部材を取り付ける場合も同様であり、画像制御素子のパッケージの上面全体を覆う程度の大きさにした放熱部材をパッケージの上面（パッケージの上面がフラットである場合はパッケージ上面、また、パッケージの上面にマウント部が突出している場合にはそのマウント部上面）に直接取り付けるか又はシリコングリスやシリコンゴムような熱伝導部材を介して間接的に取り付けることになる。
【０００５】
しかして遊技機用制御装置は、半導体素子の不正改造や認定外部品の不正使用が行われないよう厳しいチェックを必要とする。これに対し画像制御素子に放熱部材を取り付けると、画像制御素子のパッケージが放熱部材で覆い隠されることになるため、画像制御素子の真偽等に関するチェックが行い難くなる問題があった。なお、半導体素子のチェックを行う不正対策は遊技機用制御装置に固有の問題であり、従ってそれ以外の分野において半導体素子のパッケージが放熱部材で覆い隠されたとしても何の問題もない。
【課題を解決するための手段】
【０００６】
遊技用画像表示装置の画像制御に使用する画像制御素子と、該画像制御素子を搭載した回路基板と、前記画像制御素子のパッケージの上面に接して放熱する放熱部材と、底部材と蓋部材で構成されその内部に前記回路基板を収めるケースと、を備え、前記放熱部材をケースの蓋部材に取り付けると共に該蓋部材で回路基板を覆った使用時の状態で画像制御素子のパッケージ上面と放熱部材が接触し、蓋部材と回路基板を分離させる動作で画像制御素子のパッケージ上面から放熱部材が離れるようにした遊技機用制御装置を提供する。
【発明の効果】
【０００７】
遊技機用制御装置を使用する状態において、回路基板はケース内にあって蓋部材で覆われているため、画像制御素子のパッケージ上面と放熱部材が接触している。従って画像制御素子が発する熱は放熱部材に伝わりそこから放熱される。
一方、チェック等のために回路基板を調べるべく蓋部材を外すと、蓋部材と一緒に放熱部材も回路基板から離れるため、それまで放熱部材で覆われていた画像制御素子のパッケージがむき出しになる。通常、パッケージの上面には画像制御素子の名称や型番等が記載されているため、それを見れば画像制御素子の真偽等が簡単に確認できる。また、チェック後は、蓋部材を使用時の状態に戻すだけで画像制御素子のパッケージ上面と放熱部材が接触するため、きわめて作業性がよい。
【発明を実施するための最良の形態】
【０００８】
以下に本発明の実施の形態を図面を参照しつつ説明する。なお、図１は遊技機用制御装置の斜視図、図２は図１の分解斜視図、図３は遊技機用制御装置の断面図、図４は底部材と蓋部材を分離させた状態を示す遊技機用制御装置の断面図、図５（ａ）は他の形態を示す遊技機用制御装置の要部拡大断面図、（ｂ）は底部材と蓋部材を分離させた状態を示す遊技機用制御装置の要部拡大断面図である。
【０００９】
遊技機用制御装置１は、底部材２と蓋部材３で構成されるケース４内に回路基板５を設けてなる。前記底部材２は、底板２ａの全周を低い周壁２ｂで囲ったトレー形態であり、周壁２ｂの上端面とほぼ面一になる位置に回路基板５がビス止めされている。一方、蓋部材３は、天板３ａの周囲を下向きの垂下周壁３ｂで囲った形態であり、該垂下周壁３ｂの下端内周に前記底部材２の上端外周がぴったり嵌まる。蓋部材３は透明な合成樹脂製であり、周囲に直径２ｍｍ以下（２ｍｍ以下の直径とすることによりケース４内への異物の差込みが困難になる。）の放熱孔３ｃ，３ｃ…が穿設され、また、後述するコネクター６をケース４外に突出させるための開口３ｄが形成されている。なお、図示した放熱孔３ｃ，３ｃ…は蓋部材３の垂下周壁３ｂに穿設されているが、天板３ａに穿設するか、或は垂下周壁３ｂと天板３ａの双方に穿設してもよい。
【００１０】
前記底部材２と蓋部材３は、底部材２の周壁２ｂと蓋部材３の垂下周壁３ｂに突部２ｃ，３ｅを突設し、その突部２ｃ，３ｅ同士を重ねてビス７で締め付ける結合構造になっている。実施形態のビス７は締め外し可能な通常ネジを使用したが、締付のみが可能なワンウェイタイプの封印ネジを使用してもよい。
【００１１】
前記回路基板５は、電子部品たる画像制御素子８とＣＰＵ９を備えている。画像制御素子８にはパッケージ８ａの上面中央にマウント部８ｂがあり、また、パッケージ８ａの上面には図示しないが型番や名称等、画像制御素子８の識別につながる情報が記載されている。また、回路基板５には他の電子部品１０，１０…や前記したコネクター６が装着されている。
【００１２】
しかして本発明の蓋部材３には前記回路基板５の画像制御素子８に対向する位置に放熱部材１１が取り付けられている。該放熱部材１１は熱伝導に優れた金属製であって、板状基板１１ａ上にピン状の放熱主部１１ｂを形成してなる。放熱部材１１の板状基板１１ａは前記画像制御素子８のパッケージ８ａの上面全体を覆う大きさであり、該板状基板１１ａの四隅に立設した支軸１１ｃ，１１ｃ…によって蓋部材３の天板３ａに取り付けられている。従って蓋部材３を底部材２に被せて回路基板５の上面を覆うと、放熱部材１１が画像制御素子８のパッケージ８ａ上面に重なって一段高いマウント部８ｂと接触する。もちろんこの状態で画像制御素子８の熱は放熱部材１１を伝って周囲に発散される。
【００１３】
なお、実施形態の放熱部材１１は、画像制御素子８のパッケージ８ａ上面と天板３ａ裏面の間の間隔以上の間隔を設けて天板３ａに取り付け、さらに天板３ａに対して変位可能に取り付けると共に天板３ａとの間に弾性部材を介在させることによって回路基板５に向けて付勢するようにしてある。
【００１４】
具体的には、天板３ａに対して前記支軸１１ｃを遊嵌せしめる一方、支軸１１ｃの端部に抜け止め用のストッパー１１ｄを装着して落下を防止し、さらに板状基板１１ａと天板３ａの間に弾性部材たるスプリング１２を圧縮状態にして介在させるようになっている。斯かる構成では、弾性部材（スプリング１２）の弾力で放熱部材１１が画像制御素子８に押し付けられるため、放熱部材１１が画像制御素子８に密着して安定し且つ画像制御素子８と放熱部材１１の接触面に隙間がないため放熱部材１１の放熱性能が十分に発揮できる。
【００１５】
図５（ａ），（ｂ）の断面図は、放熱部材１１を弾性部材で付勢する別の実施形態を示したものである。この実施形態は、蓋部材３の天板３ａにケース４の外に通じる筒部１３を形成すると共にその筒部１３の外側にそれより一回り大きい筒状の外筒１４を嵌合し、前記筒部１３と外筒１４の夫々に内鍔１３ａ，１４ａを突設して両内鍔１３ａ，１４ａ間に隙間１５を設け、さらにその隙間１５に弾性部材たるゴムパッキン１２０と放熱部材１１の板状基板１１ａの四辺を係合させてなる。斯かる構成でもゴムパッキン１２０の弾性で放熱部材１１を画像制御素子８に押し付けることができ、加えて、放熱部材１１の熱が筒部１３を通ってケース４の外に直接放出されるため、ケース４内の温度が上がりにくい。また、図５（ａ）に示したように放熱部材１１を筒部１３内に沈めて蓋部材３の外に突出させないようにすれば、遊技機裏面の配線に放熱部材１１が触れるトラブルも未然に防止できる。
【００１６】
なお、図４，５において符号１６は回路基板５の撓みを防止するために底部材２に形成した支え部材である。この支え部材１６は、例えば平面視十文字状をなし、画像制御素子８の裏側に対応する位置に配設されており、画像制御素子８に加わる前記弾性部材（スプリング１２，ゴムパッキン１２０）の押圧力に対抗して回路基板５の沈みを防止する。見方を変えれば、底部材２の画像制御素子８に対応する位置に回路基板５の裏面を支える支え部１６を設けるようにすれば、より強い力で放熱部材１１を画像制御素子８に押し付けることができるため、放熱部材１１の押し付けによる前記効果をさらに高めることができる、ということになる。
【００１７】
本発明の遊技機用制御装置１は以上のような構成であり、遊技者向けの遊技用画像表示装置を備えたスロットマシンやパチンコ機等の遊技機（図示せず）内の適所にあって、内蔵した画像制御素子８を通じて前記遊技用画像表示装置の画像を制御する。このとき回路基板５はケース４内にあって蓋部材３で覆われているため、画像制御素子８のパッケージ８ａ上面と放熱部材１１は接触しており、従って画像制御素子８が発する熱は放熱部材１１に伝わりそこから放熱される。
一方、チェック等のために回路基板５を調べるべく蓋部材３を外すと、蓋部材３と一緒に放熱部材１１も回路基板５から離れるため、それまで放熱部材１１で覆われていた画像制御素子８のパッケージ８ａがむき出しになる。従って画像制御素子８の真偽や改造等のチェックが簡単に行える。また、チェック後は、蓋部材３を使用時の状態に戻すだけで画像制御素子８のパッケージ８ａ上面と放熱部材１１が接触する。
【００１８】
以上、本発明を実施の形態について説明したが、もちろん本発明は上記実施形態に限定されるものではない。例えば実施形態では、放熱部材１１と画像制御素子８とを直接接触させるようにしたが、両者の間にシリコングリスやシリコンゴムような熱伝導部材を介在させるようにしてもよい。その際、熱伝導部材が放熱部材１１側に貼り付く設定にしておけば、放熱部材１１が画像制御素子８から離れたときに熱伝導部材も一緒にパッケージ８ａから剥がれるため都合がよい。ちなみにその逆の設定であると、放熱部材１１が画像制御素子８から離れても熱伝導部材が画像制御素子８のパッケージ８ａを覆っているからそのままではチェックが難しい。また、実施形態では画像制御素子８とＣＰＵ９を別体に形成したが、画像制御素子８とＣＰＵ９は一体であってもよい。
【００１９】
さらにまた、実施形態ではケース４の底部材２に回路基板５を取り付けたが、回路基板５を蓋部材３に取り付けてもよい。この場合、回路基板５のコネクター６の位置と蓋部材３の開口３ｄとの相対位置が動かないため、蓋部材３と底部材２の結合構造として、より強固なスライド方式を採用することができ、これによりケース４の強化が可能である。一方、蓋部材３に回路基板５を設けた場合、蓋部材３と底部材２を分離させても蓋部材３からさらに回路基板５を外さなければパッケージ８ａの確認ができないため、蓋部材３に弾力性のある爪を設けてその爪で回路基板５を固定し、爪の係合を外すワンタッチ操作で回路基板５を簡単に外せるようにするとなお良い。
【図面の簡単な説明】
【００２０】
【図１】遊技機用制御装置の斜視図である。
【図２】図１の分解斜視図である。
【図３】遊技機用制御装置の断面図である。
【図４】底部材と蓋部材を分離させた状態を示す遊技機用制御装置の断面図である。
【図５】（ａ）は他の形態を示す遊技機用制御装置の要部拡大断面図、（ｂ）は底部材と蓋部材を分離させた状態を示す遊技機用制御装置の要部拡大断面図である。
【符号の説明】
【００２１】
１  …遊技機用制御装置
２  …底部材
３  …蓋部材
４  …ケース
５  …回路基板
８  …画像制御素子
８ａ…パッケージ
１１…放熱部材
【図１】
2006263008.tif 000003
【図２】
2006263008.tif 000004
【図３】
2006263008.tif 000005
【図４】
2006263008.tif 000006
【図５】
2006263008.tif 000007